(57)【要約】【課題】振動子の故障検出精度を高めた角速度検出回路、角速度検出装置及び故障判定システムを提供する。【解決手段】駆動信号に基づいて励振振動する振動子１０に接続され、角速度を検出する角速度検出回路５であって、振動子１０から、コリオリの力に基づく角速度成分と、励振振動に基づく自己振動成分とを含む検出信号が入力され、検出信号から自己振動成分を抽出する自己振動成分抽出手段３３１と、自己振動成分抽出手段３３１の出力信号を積分する積分手段３３６を含む直流変換手段３３２と、直流変換手段３３２の出力信号の温度による変動を補正する温度特性補正手段３３３とを含む。【選択図】図１
2010025695.tif 000002
【特許請求の範囲】
【請求項１】
駆動信号に基づいて励振振動する振動子に接続され、角速度を検出する角速度検出回路であって、
前記振動子から、コリオリの力に基づく角速度成分と、前記励振振動に基づく自己振動成分とを含む検出信号が入力され、前記検出信号から前記自己振動成分を抽出する自己振動成分抽出手段と、
前記自己振動成分抽出手段の出力信号を積分する積分手段を含む直流変換手段と、
前記直流変換手段の出力信号の温度による変動を補正する温度特性補正手段とを含むことを特徴とする角速度検出回路。
【請求項２】
請求項１に記載の角速度検出回路であって、
前記温度特性補正手段は、前記直流変換手段の出力信号の温度特性の１次の項に基づき、前記直流変換手段の出力信号の温度による変動を補正することを特徴とする角度検出回路。
【請求項３】
請求項２に記載の角度検出回路であって、
前記温度特性の１次の項を記憶する記憶手段を含み、
前記温度特性補正手段は、前記記憶手段に記憶された前記温度特性の１次の項に基づき、前記直流変換手段の出力信号の温度による変動を補正することを特徴とする角度検出回路。
【請求項４】
請求項１乃至３のいずれかに記載の角度検出回路であって、
前記温度特性補正手段の出力信号に基づいて角速度検出装置の故障の有無を判定する自己故障判定手段を含むことを特徴とする角速度検出回路。
【請求項５】
請求項１乃至４のいずれかに記載の角速度検出回路であって、
前記直流変換手段は、前記積分手段の前段又は後段に信号を増幅する増幅手段を含むことを特徴とする角速度検出回路。
【請求項６】
請求項１乃至５のいずれかに記載の角速度検出回路であって、
前記温度特性補正手段の前段又は後段に、信号にオフセット値を加えるオフセット加算手段を含むことを特徴とする角度検出回路。
【請求項７】
振動子と、前記振動子に接続され、角速度を検出する角速度検出回路とを有する角速度検出装置であって、
前記振動子は、駆動信号に基づいて励振振動し、回転運動と前記励振振動とによって生じるコリオリの力を得て、前記コリオリの力に基づく角速度成分と、前記励振振動に基づく励振振動成分と、を含む検出信号を出力し、
前記角速度検出回路は、前記検出信号が入力され、前記検出信号から前記自己振動成分を抽出する自己振動成分抽出手段と、
前記自己振動成分抽出手段の出力信号を積分する積分手段を含む直流変換手段と、
前記直流変換手段の出力信号の温度による変動を補正する温度特性補正手段とを含むことを特徴とする角速度検出装置。
【請求項８】
請求項７に記載の角速度検出装置と、
前記温度特性補正手段の出力信号が入力され、前記角速度検出装置の故障の有無を判定する外部故障判定手段と、を含むことを特徴とする故障判定システム。
【発明の詳細な説明】
【技術分野】
【０００１】
本発明は、角速度検出回路、角度検出装置及び故障判定システムに関する。
【背景技術】
【０００２】
振動子に働くコリオリの力を利用して角速度を検出する角速度検出装置が広く使用されている。近年、このような角度検出装置において、振動子の励振振動に基づく自己振動成分を利用して自己の故障検出が可能な角速度検出装置が開発されている。
【特許文献１】特開２０００−１７１２５７号公報
【発明の開示】
【発明が解決しようとする課題】
【０００３】
振動子の励振振動に基づく自己振動成分の大きさには、振動子ごとに温度特性がある。したがって、従来の角速度検出装置では、温度特性による変動と故障による変動との判別が難しく、精度のよい故障判定は難しかった。
【０００４】
本発明は、以上のような事情に鑑みてなされたものであり、振動子の故障検出精度を高めた角速度検出回路、角速度検出装置及び故障判定システムを提供することを目的とする。
【課題を解決するための手段】
【０００５】
（１）本発明に係る角速度検出回路は、
駆動信号に基づいて励振振動する振動子に接続され、角速度を検出する角速度検出回路であって、
前記振動子から、コリオリの力に基づく角速度成分と、前記励振振動に基づく自己振動成分とを含む検出信号が入力され、前記検出信号から前記自己振動成分を抽出する自己振動成分抽出手段と、
前記自己振動成分抽出手段の出力信号を積分する積分手段を含む直流変換手段と、
前記直流変換手段の出力信号の温度による変動を補正する温度特性補正手段とを含むことを特徴とする。
【０００６】
本発明によれば、温度特性補正手段を設けることにより、振動子の励振振動に基づく自己振動成分の大きさの温度特性による変動を補正することができる。このため、故障による変動を精度よく検出することができる。したがって、振動子の故障検出精度を高めた角速度検出回路を実現することができる。
【０００７】
（２）この角速度検出回路であって、
前記温度特性補正手段は、前記直流変換手段の出力信号の温度特性の１次の項に基づき、前記直流変換手段の出力信号の温度による変動を補正してもよい。
【０００８】
（３）この角速度検出回路であって、
前記温度特性の１次の項を記憶する記憶手段を含み、
前記温度特性補正手段は、前記記憶手段に記憶された前記温度特性の１次の項に基づき、前記直流変換手段の出力信号の温度による変動を補正してもよい。
【０００９】
（４）この角速度検出回路であって、
前記温度特性補正手段の出力信号に基づいて角速度検出装置の故障の有無を判定する自己故障判定手段を含んでもよい。
【００１０】
（５）この角速度検出回路であって、
前記直流変換手段は、前記積分手段の前段又は後段に信号を増幅する増幅手段を含んでもよい。
【００１１】
（６）この角速度検出回路であって、
前記温度特性補正手段の前段又は後段に、信号にオフセット値を加えるオフセット加算手段を含んでもよい。
【００１２】
オフセット値は、正の値、負の値、０を含む任意の値とすることができる。
【００１３】
（７）本発明に係る角速度検出装置は、
振動子と、前記振動子に接続され、角速度を検出する角速度検出回路とを有する角速度検出装置であって、
前記振動子は、駆動信号に基づいて励振振動し、回転運動と前記励振振動とによって生じるコリオリの力を得て、前記コリオリの力に基づく角速度成分と、前記励振振動に基づく励振振動成分と、を含む検出信号を出力し、
前記角速度検出回路は、前記検出信号が入力され、前記検出信号から前記自己振動成分を抽出する自己振動成分抽出手段と、
前記自己振動成分抽出手段の出力信号を積分する積分手段を含む直流変換手段と、
前記直流変換手段の出力信号の温度による変動を補正する温度特性補正手段とを含むことを特徴とする。
【００１４】
（８）本発明に係る故障判定システムは、
この角速度検出装置と、
前記温度特性補正手段の出力信号が入力され、前記角速度検出装置の故障の有無を判定する外部故障判定手段と、を含むことを特徴とする。
【発明を実施するための最良の形態】
【００１５】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００１６】
１．角速度検出装置
図１は、本実施の形態に係る角速度検出装置の一例を示す回路ブロック図である。
【００１７】
本実施の形態に係る角速度検出装置１は、駆動回路２０及び検出回路３０を含む角速度検出回路５と、振動子１０とを含んで構成されている。なお、駆動回路２０と検出回路３０は、同一基板上に構成することが可能である。
【００１８】
２．振動子
振動子１０は、駆動振動端子１３、１４から入力される駆動信号に基づいて励振振動し、励振振動した状態において、角速度運動が働くと、コリオリの力を得る。そして、振動子１０は、コリオリの力に基づく角速度成分と、励振振動に基づく励振振動成分を含む検出信号を出力する。ここで、励振振動成分とコリオリ力に基づく角速度成分とは９０°位相がずれている。
【００１９】
次に、水晶などの圧電材料の薄板から形成される振動子１０の一例を図１１、図１２を用いて説明する。振動子１０は、駆動用基部４４から駆動振動腕１１（広義には、駆動用振動片）が水晶のＹ軸方向に延出している。駆動用基部４４は、水晶のＸ軸方向に延びる連結腕４５を介して検出用基部４９に接続されている。検出振動腕１２（広義には、検出振動片）は、検出用基部４９からＹ軸方向に延出されている。
【００２０】
駆動振動腕１１の側面の駆動電極４１と、駆動振動腕１１の上面の駆動電極４２との間に交番電圧／交番電流からなる駆動信号が与えられると、圧電効果によって駆動振動腕１１は、矢印Ｂのように屈曲振動する。ここで、図１２のように振動子１０が水晶のＺ軸を回転軸とした回転運動をすると、駆動振動腕１１は、矢印Ｂの屈曲振動の方向とＺ軸の両方に垂直な方向にコリオリの力を得る。その結果、連結腕４５は矢印Ｃで示すような振動をする。そして、検出振動腕１２は、連結腕４５の振動（矢印Ｃ）に連動して、連結腕４５と矢印Ｄのような屈曲振動をする。
【００２１】
また、駆動振動腕１１の振動は、駆動用基部４４と連結部４５と検出用基部４９とを伝わり、検出振動腕１２に漏れ振動を発生させる。この漏れ振動は、コリオリの力に基づいた振動と同様に矢印Ｄに示す屈曲振動であるが、位相が９０°ずれている。
【００２２】
そして、これらの屈曲振動に基づいて、発生する逆圧電効果によって、検出振動腕の側面の検出電極４７と、上面の検出電極４６との間には、交番電圧／交番電流が発生する。
検出振動腕の側面の検出電極４７と上面の検出電極４６の一方を接地端子１７に接続し、もう一方を検出端子１５、１６に接続する。以上のようにして、検出端子１５、１６へ出力される検出信号は、コリオリの力に基づく角速度成分と、駆動振動の励振振動に基づく漏れ成分（自己振動成分）とが含まれる。
【００２３】
図１１、図１２の構成では、振動子のバランスを良くするために、検出用基部４９を中央に配置し、検出用基部４９から＋Ｙ軸と−Ｙ軸の両方向に検出振動腕１２を延出させている。さらに、検出用基部４９から＋Ｘ軸と−Ｘ軸の両方向に連結腕４５を延出させ、連結腕のそれぞれから、＋Ｙ軸と−Ｙ軸の両方向に駆動振動腕１１を延出させている。
【００２４】
また、駆動振動腕１１の先端を幅広の幅広部４３にし、さらに、錘を付けることでコリオリの力を大きくしている。また、錘効果によって、所望の共振周波数を、短い振動腕で得ることができる。同様の理由で、検出振動腕１２の先端を幅広の幅広部４８にし、さらに、錘を付けている。
【００２５】
なお、振動子１０は、上述の構成に限らず、コリオリの力に基づく角速度成分と、励振振動に基づく漏れ成分とを含む検出信号を出力する振動子であれば良い。例えば、駆動振動腕と検出振動腕とを兼ねる構成であっても良く、また、駆動振動腕や検出振動腕に圧電膜を形成した構成であっても良い。
【００２６】
３．角速度検出回路
角速度検出回路は、駆動回路２０と検出回路３０を含む。検出用振動片１２には検出端子１５及び１６と接地端子１７が設けられ、検出端子１５及び１６は検出回路３０に接続されている。検出端子１５及び１６からは、互いに逆位相の検出信号が出力されるように構成されている。
【００２７】
図２（Ａ）〜図２（Ｇ）は、図１に示す回路ブロック図内の各点（Ａ）〜（Ｇ）において、検出信号の角速度成分に着目した場合のタイミングチャートであり、図３（Ａ）〜図３（Ｇ）は、図１に示す回路ブロック図内の各点（Ａ）〜（Ｇ）において、検出信号の自己振動成分に着目した場合のタイミングチャートである。横軸は時間、縦軸は電圧を表す。
【００２８】
駆動回路２０は、駆動信号を出力して振動子１０を駆動し、振動子１０からフィードバック信号を受ける。これにより振動子１０を励振させる。検出回路３０は、駆動信号により駆動される振動子１０からの検出信号を受け、検出信号からコリオリの力に基づく角速度成分を抽出する。
【００２９】
本実施の形態における駆動回路２０は、電流電圧変換器２１、ＡＣ増幅器２２、自動利得制御回路２３及びコンパレータ２４を含んで構成されている。
【００３０】
駆動用振動片１１が振動すると、圧電効果に基づく電流がフィードバック信号として駆動端子１４から出力され、電流電圧変換器２１に入力される。電流電圧変換器２１は、駆動用振動片１１の振動周波数と同一の周波数の交流電圧信号が出力する（図２（Ａ）、図３（Ａ））。
【００３１】
電流電圧変換器２１から出力された交流電圧信号は、ＡＣ増幅器２２に入力される。ＡＣ増幅器は、入力される交流電圧信号を増幅する。
【００３２】
ＡＣ増幅器２２から出力された交流電圧信号は自動利得制御回路２３に入力される。自動利得制御回路２３は、入力された交流電圧信号の振幅を一定値に保持するように利得を制御し、利得制御後の交流電圧信号を駆動端子１３に出力する。この駆動端子１３に入力される交流電圧信号により振動子１０が駆動される。
【００３３】
ＡＣ増幅器２２が増幅した交流電圧信号はコンパレータ２４に入力され、交流電圧信号の振幅中心を基準電圧として、交流電圧信号と基準電圧信号との比較結果に応じて出力レベルを切り替える方形波電圧信号（図２（Ｂ））を、検出回路３０に出力する。
【００３４】
本実施の形態における検出回路３０は、検出信号増幅部３１、角速度成分抽出部３２及び自己振動成分抽出部３３を含んで構成されている。
【００３５】
検出信号増幅部３１は、チャージアンプ３１１及び３１２、差動増幅器３１３並びにＡＣ増幅器３１４を含んで構成されている。
【００３６】
チャージアンプ３１１及び３１２は、それぞれ検出端子１５及び１６に接続され、互いに逆位相の検出信号が入力される。チャージアンプ３１１及び３１２で電荷電圧変換された信号は差動増幅器３１３に入力される。差動増幅器３１３は（チャージアンプ３１１の出力信号）−（チャージアンプ３１２の出力信号）として差動増幅する。差動増幅器３１３の出力信号は、さらにＡＣ増幅器３１４で増幅される。なお、チャージアンプ３１１及び３１２での増幅の際には信号の位相が９０度進む。
【００３７】
検出端子１５及び１６から出力される検出信号は、振動子１０に働くコリオリの力に基づく角速度成分と、振動子１０の励振振動に基づく自己振動成分（漏れ信号成分）を含んでいる。角速度成分抽出部３２は、検出信号増幅部３１の出力信号から角速度成分を抽出する。また、自己振動成分抽出部３３は、検出信号増幅部３１の出力信号から自己振動成分を抽出する。
【００３８】
角速度成分抽出部３２は、同期検波回路３２１、ＡＣ増幅器３２５、積分回路３２２、ＤＣ増幅器３２３及び出力端子３２４を含んで構成されている。同期検波回路３２１は、コンパレータ２４が出力する方形波電圧信号（図２（Ｂ））を基に、検出信号増幅部３１の出力信号を同期検波することにより角速度成分を抽出する。同期検波回路３２１で抽出された角速度成分信号は、ＡＣ増幅器３２５で増幅され、積分回路３２２で積分された後、ＤＣ増幅器３２３で増幅され、出力端子３２４から直流電圧信号として出力される。
【００３９】
自己振動成分抽出部３３は、自己振動成分抽出手段３３１、直流変換手段３３２及び温度特性補正手段３３３を含んで構成されている。
【００４０】
自己振動成分抽出手段３３１は、位相を９０度進ませる移相器３３４と同期検波回路３３５で構成されている。自己振動成分抽出手段３３１は、コンパレータ２４が出力する方形波電圧信号（図２（Ｂ））を移相器３３４により位相を９０度進ませた信号を基に、検出信号増幅部３１の出力信号を同期検波することにより自己振動成分を抽出する。
【００４１】
直流変換手段３３２は、自己振動成分抽出手段３３１の出力信号を積分する積分手段として機能する積分回路３３６を含んで構成され、自己振動成分抽出手段３３１の出力信号を直流電圧信号に変換する。また、積分回路３３６の前段にＡＣ増幅器３４３、積分回路３３６の後段にＤＣ増幅器３３９を設ける。
【００４２】
これらの回路の動作を、図２（Ａ）〜図２（Ｇ）及び図３（Ａ）〜図３（Ｇ）を用いて説明する。検出信号の角速度成分に着目した場合の動作は図２（Ａ）〜図２（Ｇ）を用いて、検出信号の自己振動成分に着目した場合の動作は図３（Ａ）〜図３（Ｇ）を用いて説明する。本実施の形態においては、検出端子１５から出力される検出信号の角速度成分は、駆動端子１４から出力されるフィードバック信号よりも位相が９０度遅れた信号となるものとし、検出端子１５から出力される検出信号の自己振動成分は、駆動端子１４から出力されるフィードバック信号と同位相の信号となるものとする。
【００４３】
まず、検出信号の角速度成分に着目した場合の動作について説明する。検出端子１５から出力される検出信号の角速度成分はチャージアンプ３１１で電荷電圧変換される。この際、位相が９０度進む。したがって、差動増幅器３１３及びＡＣ増幅器３１４で増幅された後の信号は、図２（Ｃ）に示すように、図２（Ａ）に示すフィードバック信号と同位相となる。
【００４４】
このＡＣ増幅器３１４の出力信号を、図２（Ｂ）に示すコンパレータ２４の出力信号を基に同期検波回路３２１で同期検波すると、同期検波回路３２１の出力信号は図２（Ｄ）に示す全波整流波形となる。この同期検波回路３２１の出力信号を積分回路３２２で積分することにより、検出信号の角速度成分を直流電圧として検出することができる。このように、角速度成分抽出部３２では検出信号の角速度成分を抽出することができる。また、積分回路３２２の前段のＡＣ増幅回路や後段のＤＣ増幅器３２３で信号を増幅することで、感度を調整する。
【００４５】
一方、ＡＣ増幅器３１４の出力信号を、コンパレータ２４の出力信号を移相器３３４で位相を９０度進めた信号（図２（Ｅ））を基に同期検波回路３３５で同期検波すると、同期検波回路３３５の出力信号は図２（Ｆ）に示す波形となる。この同期検波回路３３５の出力信号を積分回路３３６で積分すると、図２（Ｇ）に示すように直流電圧は０となる。このように、自己振動成分抽出部３３では検出信号の角速度成分は打ち消されることになる。
【００４６】
次に、検出信号の自己振動成分に着目した場合の動作について説明する。検出端子１５から出力される検出信号の自己振動成分はチャージアンプ３１１で電荷電圧変換される。この際、位相が９０度進む。したがって、差動増幅器３１３及びＡＣ増幅器３１４で増幅された後の信号は、図３（Ｃ）に示すように、図３（Ａ）に示すフィードバック信号よりも位相が９０度進んだ信号となる。
【００４７】
このＡＣ増幅器３１４の出力信号を、図３（Ｂ）に示すコンパレータ２４の出力信号を基に同期検波回路３２１で同期検波すると、同期検波回路３２１の出力信号は図３（Ｄ）に示す波形となる。この同期検波回路３２１の出力信号を積分回路３２２で積分すると、直流電圧は０となる。このように、角速度成分抽出部３２では検出信号の自己振動成分は打ち消されることになる。
【００４８】
一方、ＡＣ増幅器３１４の出力信号を、図３（Ｅ）に示すコンパレータ２４の出力信号を移相器３３４で位相を９０度進めた信号を基に同期検波回路３３５で同期検波すると、同期検波回路３３５の出力信号は図３（Ｆ）に示す全波整流波形となる。この同期検波回路３３５の出力信号を積分回路３３６で積分すると、図３（Ｇ）に示すように図３（Ｆ）に示す全波整流波形の波高に比例した直流電圧となる。このように、自己振動成分抽出部３３では検出信号の自己振動成分を抽出することができる。
【００４９】
振動子１０に故障があった場合、例えば振動子１０に異物が付着したり、振動子１０が破損したりした場合には、振動子１０の励振振動に基づく自己振動成分の大きさが変化する。したがって、自己振動成分抽出部３３で検出信号の自己振動成分を抽出し、角速度検出装置１の内部又は外部で検出信号の自己振動成分の大きさを監視することにより、振動子１０に故障があるか否かを判定することができる。例えば、検出信号の自己振動成分の大きさが上限基準値を上回った場合や下限基準値を下回った場合には、振動子１０に故障があるものと判定することができる。
【００５０】
しかし、振動子１０の励振振動に基づく自己振動成分の大きさには、振動子ごとに温度特性がある。したがって、従来の角速度検出装置では、温度特性による変動と故障による変動との判別が難しく、精度のよい故障判定は難しかった。
【００５１】
本実施の形態に係る角速度検出回路５は、温度特性補正手段３３３を有している。温度特性補正手段３３３は、直流変換手段３３２の出力信号の温度による変動を補正する。例えば、温度特性補正手段３３３は、直流変換手段３３２の出力信号の大きさが温度によらず一定となるように補正することができる。このため、直流変換手段３３２の出力信号の温度による変動を打ち消すことができ、故障による変動を精度よく検出することができる。したがって、振動子の故障検出精度を高めた角速度検出回路を実現することができる。
【００５２】
図４は、温度と直流変換手段３３２及び温度特性補正手段３３３の出力信号電圧の関係の一例を示すグラフである。横軸は温度、縦軸は出力信号電圧を示す。
【００５３】
直流変換手段３３２の出力信号電圧は、図４の実線１００１で示すように、温度により大きさが異なる。温度特性補正手段３３３は、その出力信号電圧が図４の二点破線１００２で示すように温度によらず一定となる方向（例えば、図４の白抜き矢印方向）に補正して出力する。図４においては、２５℃での出力信号電圧を基準にして出力信号電圧を補正する例を示している。
【００５４】
また、本願の発明者は、直流変換手段３３２の出力信号の温度による変動は、ほぼ１次の傾きで近似できることを見出した。したがって、温度特性補正手段３３３は、直流変換手段３３２の出力信号の温度特性の１次の項に基づき、直流変換手段３３２の出力信号の温度による変動を補正するように構成することも可能である。
【００５５】
さらに、角速度検出回路５は温度特性の１次の項を記憶する記憶手段３３７を含み、温度特性補正手段３３３は、直流変換手段３３２の出力信号に記憶手段３３７に記憶された温度特性の１次の項に基づき、直流変換手段３３２の出力信号の温度による変動を補正するように構成してもよい。記憶手段３３７は、例えばＥＥＰＲＯＭのような不揮発性メモリで構成することができる。これにより、例えば角速度検出装置１の検査工程において温度特性補正手段３３３の出力電圧を測定し、この出力電圧が温度によらずほぼ一定の値となるような温度特性の１次の項を記憶手段３３７に書き込むことができる。したがって、振動子ごとに異なる温度特性を有する場合にも、適切な温度特性補正が可能になる。
【００５６】
図５は、本実施の形態に係る角速度検出回路５に適用可能な温度特性補正手段３３３の一例を示す回路図である。図５に示す温度特性補正手段３３３は、演算増幅器４０１、制御回路４０２、抵抗４０３及び４０４、可変抵抗４０５を含んで構成されている。
【００５７】
直流変換手段３３２の出力信号は、抵抗４０３を介して演算増幅器４０１の非反転入力端子に入力される。制御回路４０２は、記憶手段３３７に記憶された温度特性の１次の項と温度センサ４０６で検出される温度に基づき可変抵抗４０５の抵抗値を制御する。演算増幅器４０１は、非反転入力端子に入力された信号と反転入力端子に入力された電位を差動増幅し、出力電圧Ｖｏｕｔ１として出力する。出力電圧Ｖｏｕｔ１は、抵抗４０４を介して演算増幅器４０１の反転入力端子にもフィードバックされる。
【００５８】
演算増幅器４０１の増幅率Ａは抵抗４０４の抵抗値Ｒ４と可変抵抗４０５の抵抗値Ｒ５を用いて、Ａ＝１＋Ｒ５／Ｒ４で表される。したがって、可変抵抗４０５の抵抗値Ｒ５を制御することにより、演算増幅器４０１の増幅率を制御することができる。
【００５９】
このように、温度特性補正手段３３３を図５に示すように構成した場合には、記憶手段３３７に記憶される温度特性の１次の項を適切に設定することにより、出力電圧Ｖｏｕｔ１を温度によらずほぼ一定にすることができる。
【００６０】
本実施の形態に係る角速度検出回路５は、さらに、温度特性補正手段３３３の出力信号Ｖｏｕｔ１に基づいて角速度検出装置１の故障の有無を判定する自己故障判定手段３３８を含んでもよい。自己故障判定手段３３８は、温度特性補正手段３３３の出力信号Ｖｏｕｔ１が上限基準値を上回った場合や下限基準値を下回った場合に、振動子１０に故障があるものと判定し、判定結果に基づく出力信号を出力する。図１に示す回路ブロック図においては、出力端子３４１を介して角速度検出回路５の外部に出力信号を出力している。角速度検出回路５が自己故障判定手段３３８を含むことにより、角速度検出装置１自身が振動子１０に故障があるか否かを判定することができる。
【００６１】
なお、自己故障判定手段３３８は、他の故障判定信号に基づく故障判定機能を有していてもよい。図６は、複数の故障判定機能を有する自己故障判定手段３３８の一例を示す回路ブロック図である。図６に示す例では、自己故障判定手段３３８には、振動子１０の故障の有無の判定に用いる温度特性補正手段３３３の出力信号Ｖｏｕｔ１の他に、駆動回路２０の故障の有無の判定に用いる駆動回路診断判定信号と、検出回路３０の故障の有無の判定に用いる検出回路診断判定信号が入力されるものとする。
【００６２】
図６に示す自己故障判定手段３３８は、故障判定回路５０１乃至５０３とＯＲ回路５０４を含んで構成されている。故障判定回路５０１乃至５０３は、それぞれの入力信号に基づき、故障があるものと判定した場合にはＨｉｇｈレベルの出力信号を、故障がないものと判定した場合にはＬｏｗレベルの出力信号を出力するものとする。
【００６３】
故障判定回路５０１は、温度特性補正手段３３３の出力信号Ｖｏｕｔ１が上限基準値を上回った場合や下限基準値を下回った場合に、振動子１０に故障があるものと判定し、判定結果に基づく出力信号をＯＲ回路５０４に出力する。故障判定回路５０２は、駆動回路診断判定信号が上限基準値を上回った場合や下限基準値を下回った場合に、駆動回路２０に故障があるものと判定し、判定結果に基づく出力信号をＯＲ回路５０４に出力する。故障判定回路５０３は、検出回路診断判定信号が上限基準値を上回った場合や下限基準値を下回った場合に、検出回路３０に故障があるものと判定し、判定結果に基づく出力信号をＯＲ回路５０４に出力する。
【００６４】
ＯＲ回路５０４は、故障判定回路５０１乃至５０３のいずれかからＨｉｇｈレベルの出力信号が入力された場合には、Ｈｉｇｈレベルの出力信号Ｖｏｕｔ２を出力する。故障判定回路５０１乃至５０３のいずれもからＬｏｗレベルの出力信号が入力された場合には、Ｌｏｗレベルの出力信号Ｖｏｕｔ２を出力する。
【００６５】
このように、自己故障判定回路３３８を図６に示す回路ブロック図のように構成すると、角速度検出装置１のいずれかに故障があるか否かを判定し、出力信号Ｖｏｕｔ２として出力することができる。
【００６６】
本実施の形態に係る角速度検出回路５の直流変換手段３３２は、積分手段として機能する積分回路３３６の前段のＡＣ増幅器３４３又は後段のＤＣ増幅器３３９に、信号を所望の倍率で増幅又は減衰する増幅手段を含んでもよい。図１に示す回路ブロック図においては、積分回路３３６の後段に設けられているＤＣ増幅器３３９が増幅手段として機能する。
【００６７】
振動子１０の励振振動に基づく自己振動成分の大きさは、振動子１０の故障モードのよって異なる。例えば振動子１０が破損した場合の振動子１０の励振振動に基づく自己振動成分の変動は、振動子１０に異物が付着した場合の振動子１０の励振振動に基づく自己振動成分の変動よりも大きい。
【００６８】
積分回路３３６の前段のＡＣ増幅器３４３又は後段のＤＣ増幅器３３９を設けると、ＤＣ増幅器３３９の増幅率を変更することで、直流変換手段３３２の出力感度を変更することが可能になる。したがって、検出したい故障モードに応じてＤＣ増幅器３３９の増幅率を設定することにより、所望の故障モードに対応した故障判定が可能になる。
【００６９】
また、温度特性補正手段として、ＤＣ増幅器３３９のゲインを調整するゲイン調整回路を設けても良い。その場合、ＤＣ増幅器３３９の出力の温度依存が低下する。
【００７０】
本実施の形態に係る角速度検出回路５は、温度特性補正手段３３３の出力信号Ｖｏｕｔ１を出力する出力端子３４０を含んでもよい。温度特性補正手段３３３の出力信号Ｖｏｕｔ１を角速度検出回路５の外部に出力することにより、角速度検出装置１の外部において、より詳細な故障判定が可能になる。例えば、角速度検出装置１の大きさなどの制約により角速度検出装置１の内部ではできない複雑な演算処理を、角速度検出装置１の外部に設けられたマイコンなどによって行うことにより、より詳細な故障判定が可能になる。
【００７１】
また、出力端子３４０は、角速度検出装置１の検査工程において温度特性補正手段３３３の出力電圧を測定するために用いることも可能である。
【００７２】
〔変形例〕
上述の角速度検出装置１の構成に加え、温度特性補正手段３３３の前段又は後段に、信号にオフセット値を加えるオフセット加算手段３４２を含んで構成することも可能である。図７は、温度特性補正手段３３３の後段にオフセット加算手段３４２を設けた角速度検出装置２の構成例を示す回路ブロック図である。なお、図１を用いて説明した角速度検出装置１と同一の構成については同一の符号を付し、その詳細な説明を省略する。
【００７３】
振動子１０の励振振動に基づく自己振動成分の大きさは、振動子ごとに個体差がある。したがって、従来の角速度検出回路では、振動子に応じて判定条件を変更しなければ精度のよい故障判定は難しかった。
【００７４】
本実施の形態に係る角速度検出回路６は、オフセット加算手段３４２を有している。オフセット加算手段３４２は、温度特性補正手段３３３の出力信号に所望のオフセット値を加える。
【００７５】
図８は、温度と直流変換手段３３２、温度特性補正手段３３３及びオフセット加算手段３４２の出力信号電圧の関係の一例を示すグラフである。横軸は温度、縦軸は出力信号電圧を示す。
【００７６】
直流変換手段３３２の出力信号電圧は、図８の実線２００１で示すように、温度により大きさが異なる。温度特性補正手段３３３は、その出力信号電圧が図８の二点破線２００２で示すように温度によらず一定となる方向（例えば、図８の白抜き矢印方向）に補正して出力する。図８においては、２５℃での出力信号電圧を基準にして出力信号電圧を補正する例を示している。
【００７７】
オフセット加算手段３４２は、オフセット加算手段３４２の出力電圧が所望の値となるようなオフセット値を温度特性補正手段３３３の出力信号に加えて出力する。例えば、図８の黒矢印方向にオフセット値を加算することにより、一点破線２００３で示すオフセット加算手段３４２の出力信号電圧を所望の値に設定することができる。
【００７８】
これにより、振動子１０の励振振動に基づく自己振動成分の大きさの温度特性による変動を補正することに加え、振動子１０の個体差による励振振動に基づく自己振動成分の大きさのばらつきを補正し、出力電圧の大きさを揃えることができる。したがって、角速度検出装置ごとに判定条件を変更することなく、振動子の故障検出精度をさらに高めた角速度検出装置を実現することができる。
【００７９】
さらに、角速度検出装置２はオフセット値を記憶する記憶手段を含み、オフセット加算手段３４２は、温度特性補正手段３３３の出力信号に記憶手段３３７に記憶されたオフセット値を加えるように構成してもよい。記憶手段は、温度特性補正手段３３３で用いる温度特性の１次の項を記憶する記憶手段３３７と兼用する構成も可能である。これにより、例えば角速度検出装置２の検査工程においてオフセット加算手段３４２の出力電圧を測定し、この出力電圧が所望の値となるようなオフセット値を記憶手段３３７に書き込むことにより、振動子１０の個体差による励振振動に基づく自己振動成分の大きさのばらつきを補正し、出力電圧の大きさを揃えることができる。
【００８０】
また、温度特性補正手段として、ＤＣ増幅器３３９のゲインを調整するゲイン調整回路を設けても良い。その場合、ＤＣ増幅器３３９の出力の温度依存が低下する。
【００８１】
図９は、本実施の形態に係る角速度検出装置２に適用可能なオフセット加算手段３４２の一例を示す回路図である。図９に示すオフセット加算手段３４２は、演算増幅器６０１、Ｄ／Ａコンバータ６０２、抵抗６０３乃至６０５を含んで構成されている。
【００８２】
温度特性補正手段３３３の出力信号は、抵抗６０３を介して演算増幅器６０１の非反転入力端子に入力される。Ｄ／Ａコンバータ６０２は、記憶手段３３７に記憶されたオフセット値に基づき電圧信号を出力する。Ｄ／Ａコンバータ６０２が出力した電圧信号は、抵抗６０４を介して演算増幅器４０１の反転入力端子に入力される。演算増幅器６０１は、非反転入力端子に入力された信号と反転入力端子に入力された信号を差動増幅し、出力電圧Ｖｏｕｔ３として出力する。出力電圧Ｖｏｕｔ３は、抵抗６０５を介して演算増幅器６０１の反転入力端子にもフィードバックされる。
【００８３】
このように、オフセット加算手段３４２を図９に示すように構成した場合には、記憶手段３３７に記憶されるオフセット値を適切に設定することにより、出力電圧Ｖｏｕｔ３を所望の値に設定することができる。
【００８４】
また、同期検波回路３３５として、図１３に示すような、同期検波回路３３５（自己振動抽出手段３３１）の出力信号にオフセット値を加えるオフセット入力手段を有する同期検波回路を用いても良い。被同期検波信号信号（Ｃ）は、分岐して、一方は、反転せずに非反転信号としてスイッチ３５９に入力され、もう一方は反転アンプ３５７によって反転して、スイッチ３５８に入力される。基準信号によって、スイッチ３５８、３５９が交互に接続されることで、非反転信号と、反転信号が交互に出力されることによって同期検波信号（Ｆ）が出力される。また、オフセット入力端子３５１からオフセット信号が反転信号に重畳される。その結果、スイッチ３５８、３５９が被同期信号の反転信号を選択して出力するタイミングにおいて、オフセット信号が同期検波信号（Ｆ）に重畳され、スイッチ３５８、３５９が被同期信号の非反転信号を選択して出力するタイミングにおいて、オフセット信号が同期検波信号（Ｆ）に重畳されない。このようにして、オフセット信号は重畳／非重畳を繰り返すが、後段の積分回路３３６において平滑化され、一定レベルのオフセット値を得ることになる。なお、オフセット信号を非反転信号に重畳する構成にすることも可能である。
【００８５】
また、同様に、角速度検出部３２の同期検波回路３２１にオフセット信号入力手段を有する同期検波回路を用いても良い。
【００８６】
４．故障判定システム
図１０（Ａ）及び図１０（Ｂ）は、本実施の形態に係る故障判定システムの一例を示す回路ブロック図である。
【００８７】
図１０（Ａ）に示す本実施の形態に係る故障判定システム３は、角速度検出装置１を含む。なお、角速度検出装置１の構成及び動作は図１乃至図６を用いて説明した通りであるため、同一の構成には同一の符号を付し、その詳細な説明を省略する。
【００８８】
本実施の形態に係る故障判定システム３は、角速度検出装置１の出力端子３４０からの出力信号Ｖｏｕｔ１に基づいて角速度検出装置１の故障の有無を判定する外部故障判定手段７００を含む。外部故障判定手段７００は、例えばマイコンにより構成することが可能である。
【００８９】
外部故障判定手段７００は、例えば、角速度検出装置１の出力信号Ｖｏｕｔ１が上限基準値を上回った場合や下限基準値を下回った場合に、角速度検出装置１の振動子１０に故障があるものと判定することができる。また例えば、外部故障判定手段７００は、角速度検出装置１の大きさなどの制約により角速度検出装置１の内部ではできない複雑な演算処理を行うことにより、より詳細な故障判定を行うこともできる。
【００９０】
〔変形例〕
上述の故障判定システム３の角速度検出装置１を角速度検出装置２に置き換えて構成することも可能である。図１０（Ｂ）に示す本実施の形態に係る故障判定システム４は、角速度検出装置２を含む。なお、角速度検出装置２の構成及び動作は図１乃至図９を用いて説明した通りであるため、同一の構成には同一の符号を付し、その詳細な説明を省略する。
【００９１】
本実施の形態に係る故障判定システム４において、外部故障判定手段は、角速度検出装置２の出力端子３４０からの出力信号Ｖｏｕｔ３に基づいて角速度検出装置２の故障の有無を判定する。
【００９２】
故障判定システム４は、角速度検出装置１に代えて角速度検出装置２を用いることにより、より精度よく故障判定を行うことができる。
【００９３】
なお、本発明は本実施形態に限定されず、本発明の要旨の範囲内で種々の変形実施が可能である。
【００９４】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【００９５】
【図１】本実施の形態に係る角速度検出装置の一例を示す回路ブロック図。
【図２】図２（Ａ）〜図２（Ｇ）は、検出信号の角速度成分に着目した場合のタイミングチャート。
【図３】図３（Ａ）〜図３（Ｇ）は、検出信号の自己振動成分に着目した場合のタイミングチャート。
【図４】温度と直流変換手段及び温度特性補正手段の出力信号電圧の関係の一例を示すグラフ。
【図５】温度特性補正手段の一例を示す回路図。
【図６】複数の故障判定機能を有する自己故障判定手段の一例を示す回路ブロック図。
【図７】温度特性補正手段の後段にオフセット加算手段を設けた角速度検出装置の構成例を示す回路ブロック図。
【図８】温度と直流変換手段、温度特性補正手段及びオフセット加算手段の出力信号電圧の関係の一例を示すグラフ。
【図９】オフセット加算手段の一例を示す回路図。
【図１０】図１０（Ａ）及び図１０（Ｂ）は、本実施の形態に係る故障判定システムの一例を示す回路ブロック図。
【図１１】振動子の一例を示す平面図。
【図１２】振動子の一例を示す平面図。
【図１３】オフセット入力手段を有する同期検波回路の一例を示す回路図。
【符号の説明】
【００９６】
１，２  角速度検出装置、３，４  故障判定システム、５，６  角速度検出回路、１０  振動子、１１  駆動用振動片（駆動振動腕）、１２  検出用振動片（検出振動腕）、１３，１４  駆動端子、１５，１６  検出端子、１７  接地端子、２０  駆動回路、２１  電流電圧変換器、２２  ＡＣ増幅器、２３  自動利得制御回路、２４  コンパレータ、４１，４２  駆動電極、４３，４８  幅広部、４４  駆動用基部、４５  連結腕、４６，４７  検出電極、４９  検出用基部、３０  検出回路、３１  検出信号増幅部、３２  角速度信号抽出部、３３  自己振動成分抽出部、３１１，３１２  チャージアンプ、３１３  差動増幅器、３１４  ＡＣ増幅器、３２１  同期検波回路、３２２  積分回路、３２３  ＤＣ増幅器、３２４  出力端子、３３１  自己振動成分抽出手段、３３２  直流変換手段、３３３  温度特性補正手段、３３４  移相器、３３５  同期検波回路、３３６  積分回路、３３７  記憶手段、３３８  自己故障判定手段、３３９  ＤＣ増幅器、３４０，３４１  出力端子、３４２  オフセット加算手段、３４３  ＡＣ増幅器、３５１  オフセット入力端子、３５７  反転アンプ、３５８，３５９  スイッチ、４０１  演算増幅器、４０２  制御回路、４０３，４０４  抵抗、４０５  可変抵抗、４０６  温度センサ、５０１，５０２，５０３  故障判定回路、５０４  ＯＲ回路、６０１  演算増幅器、６０２  Ｄ／Ａコンバータ、６０３，６０４，６０５  抵抗、７００  外部故障判定手段
【図１】
2010025695.tif 000003
【図２】
2010025695.tif 000004
【図３】
2010025695.tif 000005
【図４】
2010025695.tif 000006
【図５】
2010025695.tif 000007
【図６】
2010025695.tif 000008
【図７】
2010025695.tif 000009
【図８】
2010025695.tif 000010
【図９】
2010025695.tif 000011
【図１０】
2010025695.tif 000012
【図１１】
2010025695.tif 000013
【図１２】
2010025695.tif 000014
【図１３】
2010025695.tif 000015